(57)【要約】      （修正有）【課題】構造の小型化・簡素化が図れ、原稿の詰まりや損傷を発生することなく単一の撮像部により原稿両面を容易に読み取ることができる画像読取装置と、その画像読取装置を用いた画像形成装置を提供する。【解決手段】画像読取装置５０には、中央上端部に位置する給紙スタック部２からその斜め下方に位置する排紙スタック部３に向って、原稿搬送路１が湾曲状に形成され、画像読取の対象となる文字等が表裏両面に表示されたシート状の原稿Ｍを一方通行で搬送する。原稿搬送路１の中間部において、原稿Ｍの表側原稿面Ｍ１と裏側原稿面Ｍ２を読み取るための２つの読取部１０、２０がそれぞれ配設されている。画像読取装置５０は、両読取部１０，２０を光学的に接続する光接続部３０と、一方の読取部１０に対面して配置される単一の撮像部４０とを有している。【選択図】図２
2006319770.tif 000002
【特許請求の範囲】
【請求項１】
所定の向きに延びる第一搬送部と、その第一搬送部の先端側に接続されて向きを変換する方向変換部と、その方向変換部の先端側に接続されて前記第一搬送部とは逆向きに延びる第二搬送部とを含み、画像読取の対象となるシート状の原稿を原稿供給部から前記第一搬送部、方向変換部及び第二搬送部を順に通り原稿排出部に向って一方的に搬送する原稿搬送路と、
その原稿搬送路の前記第一搬送部に、前記原稿の表裏いずれか一方の面である第一の原稿面を読み取るために配設される第一の画像読取部と、
その第一の画像読取部から下流側に所定距離離間した前記原稿搬送路の前記第二搬送部に、前記原稿の第一の原稿面とは反対側の第二の原稿面を読み取るために配設される第二の画像読取部と、
前記第一及び第二の画像読取部を、相互間での光の伝搬が各々の光軸を一致させた形で可能となるように光学的に接続する光伝搬部と、
前記第一及び第二の画像読取部のうちのいずれか一方の画像読取部に対して直接的に対向して配置され、かつ他方の画像読取部に対して前記一方の画像読取部及び光伝搬部を介して間接的に対向して配置されるとともに、各々の画像読取部において、搬送方向に沿って連続的に又は間欠的に送られる前記原稿の原稿面に向けて光源から光を照射し、その原稿面で反射した反射光を結像させて得られた画像を電気信号に変換して読み取る単一の撮像部とを備え、
最初に上流側の前記第一の画像読取部にて、前記撮像部の光源から前記第一の原稿面に光が照射され、その第一の原稿面で反射した反射光の画像が前記撮像部で読み取られ、
その後下流側の前記第二の画像読取部にて、前記撮像部の光源から前記第二の原稿面に光が照射され、その第二の原稿面で反射した反射光の画像が前記撮像部で読み取られることを特徴とする画像読取装置。
【請求項２】
所定の向きに延びる第一搬送部と、その第一搬送部の先端側に接続されて向きを変換する方向変換部と、その方向変換部の先端側に接続されて前記第一搬送部とは逆向きに延びる第二搬送部とを含み、画像読取の対象となるシート状の原稿を原稿供給部から前記第一搬送部、方向変換部及び第二搬送部を順に通り原稿排出部に向って一方的に搬送する原稿搬送路と、
その原稿搬送路の前記第一搬送部に、前記原稿の表裏いずれか一方の面である第一の原稿面に表示された画像を読み取るために配設される第一の画像読取部と、
その第一の画像読取部から下流側に所定距離離間した前記原稿搬送路の前記第二搬送部に、前記原稿の第一の原稿面とは反対側の第二の原稿面に表示された画像を読み取るために配設される第二の画像読取部と、
前記第一及び第二の画像読取部を、相互間での光の伝搬が各々の光軸を一致させた形で可能となるように一直線状に光学的に接続する光伝搬部と、
前記第一の画像読取部に対して直接的に対向して配置され、かつ前記第二の画像読取部に対して前記第一の画像読取部及び光伝搬部を介して間接的に対向して配置されるとともに、各々の画像読取部において、搬送方向に沿って連続的に又は間欠的に送られる前記原稿の原稿面に向けて光源から光を照射し、その原稿面で反射した反射光を結像させて得られた画像を電気信号に変換して読み取る単一の撮像部とを備え、
最初に上流側の前記第一の画像読取部にて、前記撮像部の光源から前記第一の原稿面に光が照射され、その第一の原稿面で反射した反射光の画像が前記撮像部で読み取られ、
その後下流側の前記第二の画像読取部にて、前記撮像部の光源から前記第一の画像読取部及び光伝搬部を一直線状に通って前記第二の原稿面に光が照射され、その第二の原稿面で反射した反射光の画像が前記光伝搬部及び第一の画像読取部を一直線状に通って前記撮像部で読み取られることを特徴とする画像読取装置。
【請求項３】
上流側に位置する前記第一の画像読取部に前記原稿が存在するときには、前記光源から発せられた光はその原稿の第一の原稿面で反射して前記撮像部で読み取られる一方、
上流側に位置する前記第一の画像読取部に前記原稿が存在せず、下流側に位置する前記第二の画像読取部に前記原稿が存在するときには、前記光源から発せられた光は前記第一の画像読取部及び光伝搬部を一直線状に通りその原稿の第二の原稿面で反射して、前記光伝搬部及び第一の画像読取部を一直線状に通り前記撮像部で読み取られる請求項２に記載の画像読取装置。
【請求項４】
前記第一及び第二の画像読取部の間の前記原稿搬送路に沿う離間距離は、前記原稿の前記原稿搬送路方向の長さ以上に設定されている請求項１ないし３のいずれか１項に記載の画像読取装置。
【請求項５】
前記第一搬送部及び第二搬送部は、互いに平行状となるように上下に配置されるとともに、
前記撮像部の光源から発せられた光は、その光軸が前記第一及び第二の画像読取部に位置する前記原稿の原稿面に対して直交状となるように照射される請求項１ないし４のいずれか１項に記載の画像読取装置。
【請求項６】
前記撮像部には、前記第一の画像読取部に位置する原稿の第一の原稿面又は前記第二の画像読取部に位置する原稿の第二の原稿面に対応する結像面に固体撮像素子等の画像センサの受光面を一致させるように焦点合わせを行なうための焦点調整機構を含む請求項１ないし５のいずれか１項に記載の画像読取装置。
【請求項７】
前記第一及び第二の画像読取部のうちの一方に前記原稿が存在するとき、その画像読取部において所定の原稿面の読み取りが終了するまで他方の画像読取部には他の原稿の搬入を禁止する請求項１ないし６のいずれか１項に記載の画像読取装置。
【請求項８】
前記原稿の表裏のうちいずれの原稿面を画像読取の対象とするかを選択入力可能な読取制御部が設けられ、
その読取制御部は前記選択入力に基づいて、前記第一及び第二の画像読取部のうち選択された原稿面に対応する画像読取部ではその原稿面を読み取りながらその原稿を通過させる一方、選択されていない原稿面に対応する画像読取部ではその原稿面を読み取ることなくその原稿を通過させる請求項１ないし７のいずれか１項に記載の画像読取装置。
【請求項９】
前記第一の画像読取部の近傍には、書籍等の綴じられた原稿を手置き原稿として透明部上に載置しつつ、その透明部の上面で対向保持される原稿面を読み取るために第三の画像読取部が配設されるとともに、
前記撮像部は、前記第三の画像読取部に対向する位置において、前記透明部に沿って連続的に又は間欠的に移動しながら、その透明部上に位置保持された前記手置き原稿の原稿面に向けて前記光源から光を照射し、その原稿面で反射した反射光を結像させて得られた画像を電気信号に変換して読み取り可能である請求項２又は３に記載の画像読取装置。
【請求項１０】
請求項１ないし９のいずれか１項に記載の画像読取装置を備え、その画像読取装置による前記原稿の画像読取の結果に基づいて、記録材上に画像を形成することを特徴とする画像形成装置。
【発明の詳細な説明】
【技術分野】
【０００１】
この発明は画像読取装置、特に原稿両面の画像を読み取ることが可能な画像読取装置と、その画像読取装置を用いた画像形成装置に関する。
【背景技術】
【０００２】
従来より、複写機、印刷機等の画像読取装置において、シート状原稿の両面を読み取る場合、原稿供給部から原稿排出部に至る原稿搬送路の途中で原稿の表裏を反転させて画像読取部（撮像部）を２回通過させるのが一般的であった（特許文献１の図８参照）。しかし、画像読取装置に反転機構を要するため構造が大型化・複雑化しやすく、原稿読取時間も相対的に長くなる。また、反転機構部において原稿が詰まったり損傷を受けたりする可能性も高くなる。
【０００３】
そこで、原稿の表裏両面を各別に読み取れるように、２個の撮像部（イメージセンサ）を設けることが提案されている（特許文献１の図２，図５，図６参照）。このような画像読取装置によれば、原稿読取時間を短縮できるが、２個の撮像部を要するために高価となり、２個の撮像部を配置するために原稿搬送路や撮像部の全体がさらに大型化・複雑化するおそれがある。
【０００４】
【特許文献１】特開２００２−１０１２６７号公報
【発明の開示】
【発明が解決しようとする課題】
【０００５】
本発明の課題は、構造の小型化・簡素化が図れるとともに、原稿の詰まりや損傷を発生することなく単一の撮像部により原稿両面を容易に読み取ることができる画像読取装置と、その画像読取装置を用いた画像形成装置を提供することにある。
【課題を解決するための手段及び発明の効果】
【０００６】
上記課題を解決するために、本発明の画像読取装置は、
所定の向きに延びる第一搬送部と、その第一搬送部の先端側に接続されて向きを変換する方向変換部と、その方向変換部の先端側に接続されて前記第一搬送部とは逆向きに延びる第二搬送部とを含み、画像読取の対象となるシート状の原稿を原稿供給部から前記第一搬送部、方向変換部及び第二搬送部を順に通り原稿排出部に向って一方的に搬送する原稿搬送路と、
その原稿搬送路の前記第一搬送部に、前記原稿の表裏いずれか一方の面である第一の原稿面を読み取るために配設される第一の画像読取部と、
その第一の画像読取部から下流側に所定距離離間した前記原稿搬送路の前記第二搬送部に、前記原稿の第一の原稿面とは反対側の第二の原稿面を読み取るために配設される第二の画像読取部と、
前記第一及び第二の画像読取部を、相互間での光の伝搬が各々の光軸を一致させた形で可能となるように光学的に接続する光伝搬部と、
前記第一及び第二の画像読取部のうちのいずれか一方の画像読取部に対して直接的に対向して配置され、かつ他方の画像読取部に対して前記一方の画像読取部及び光伝搬部を介して間接的に対向して配置されるとともに、各々の画像読取部において、搬送方向に沿って連続的に又は間欠的に送られる前記原稿の原稿面に向けて光源から光を照射し、その原稿面で反射した反射光を結像させて得られた画像を電気信号に変換して読み取る単一の撮像部とを備え、
最初に上流側の前記第一の画像読取部にて、前記撮像部の光源から前記第一の原稿面に光が照射され、その第一の原稿面で反射した反射光の画像が前記撮像部で読み取られ、
その後下流側の前記第二の画像読取部にて、前記撮像部の光源から前記第二の原稿面に光が照射され、その第二の原稿面で反射した反射光の画像が前記撮像部で読み取られることを特徴とする。
【０００７】
また、上記課題を解決するために、本発明の画像読取装置は、
所定の向きに延びる第一搬送部と、その第一搬送部の先端側に接続されて向きを変換する方向変換部と、その方向変換部の先端側に接続されて前記第一搬送部とは逆向きに延びる第二搬送部とを含み、画像読取の対象となるシート状の原稿を原稿供給部から前記第一搬送部、方向変換部及び第二搬送部を順に通り原稿排出部に向って一方的に搬送する原稿搬送路と、
その原稿搬送路の前記第一搬送部に、前記原稿の表裏いずれか一方の面である第一の原稿面に表示された画像を読み取るために配設される第一の画像読取部と、
その第一の画像読取部から下流側に所定距離離間した前記原稿搬送路の前記第二搬送部に、前記原稿の第一の原稿面とは反対側の第二の原稿面に表示された画像を読み取るために配設される第二の画像読取部と、
前記第一及び第二の画像読取部を、相互間での光の伝搬が各々の光軸を一致させた形で可能となるように一直線状に光学的に接続する光伝搬部と、
前記第一の画像読取部に対して直接的に対向して配置され、かつ前記第二の画像読取部に対して前記第一の画像読取部及び光伝搬部を介して間接的に対向して配置されるとともに、各々の画像読取部において、搬送方向に沿って連続的に又は間欠的に送られる前記原稿の原稿面に向けて光源から光を照射し、その原稿面で反射した反射光を結像させて得られた画像を電気信号に変換して読み取る単一の撮像部とを備え、
最初に上流側の前記第一の画像読取部にて、前記撮像部の光源から前記第一の原稿面に光が照射され、その第一の原稿面で反射した反射光の画像が前記撮像部で読み取られ、
その後下流側の前記第二の画像読取部にて、前記撮像部の光源から前記第一の画像読取部及び光伝搬部を一直線状に通って前記第二の原稿面に光が照射され、その第二の原稿面で反射した反射光の画像が前記光伝搬部及び第一の画像読取部を一直線状に通って前記撮像部で読み取られることを特徴とする。
【０００８】
これらの画像読取装置によれば、第一搬送部及び第二搬送部に第一及び第二の画像読取部を配設し、これらの画像読取部を（例えば一直線状に）光学的に接続する光伝搬部と単一の撮像部とを設ければよい。このため、画像読取部間を光接続するための反射鏡を光伝搬部に配置する必要がなくなり、構造の小型化・簡素化を図りつつ、複写機、印刷機等に両面原稿用の画像読取装置を容易に組み込むことができる。しかも、これらの画像読取部は原稿供給部から原稿排出部に向って原稿を一方的に搬送する原稿搬送路の途中に配設されるので、原稿の反転機構を要せず構造を簡素化できるとともに画像読取部での原稿の詰まりや損傷の発生を防止して原稿両面を容易に読み取ることができるようになる。なお、光伝搬部には光ファイバのような可撓性の光伝搬部材を用いてもよい。
【０００９】
ここで、「原稿」は、表裏の原稿面（第一及び第二の原稿面）に文字、数字、記号、図、絵、写真等が印刷等により表示（記載）されたシート状の紙葉類を指す。したがって、撮像部では、原稿面で反射した反射光を結像させることにより文字等を画像（光学像）表示させ、その画像を画像センサ（イメージセンサ）によって電気信号に変換して読み取ることができる。
【００１０】
したがって、例えば、
上流側に位置する第一の画像読取部に原稿が存在するときには、光源から発せられた光はその原稿の第一の原稿面で反射して撮像部で読み取られる一方、
上流側に位置する第一の画像読取部に原稿が存在せず、下流側に位置する第二の画像読取部に原稿が存在するときには、光源から発せられた光は第一の画像読取部及び光伝搬部を一直線状に通りその原稿の第二の原稿面で反射して、光伝搬部及び第一の画像読取部を一直線状に通り撮像部で読み取られる。
【００１１】
このように、一直線状に配置される第一及び第二の画像読取部で交互に画像読取を行なうことによって、原稿１枚目の表面→原稿１枚目の裏面→原稿２枚目の表面→原稿２枚目の裏面→……のように両面原稿を継続的に画像読取することができ、原稿読取時間を短縮することができる。
【００１２】
これらの画像読取装置では、第一及び第二の画像読取部の間の原稿搬送路に沿う離間距離は、原稿の原稿搬送路方向の長さ以上に設定されていることが望ましい。つまり、第一及び第二の画像読取部の間の搬送距離が原稿搬送路方向の原稿長さに等しいかそれよりも長く形成されていれば、第二の画像読取部で画像読取する際に原稿の末尾が第一の画像読取部を塞がないので、第一及び第二の画像読取部で交互に画像読取を行なうことが容易となる。
【００１３】
また、第一搬送部及び第二搬送部を、互いに平行状となるように上下に配置するとともに、撮像部の光源から発せられた光を、その光軸が第一及び第二の画像読取部に位置する原稿の原稿面に対して直交状となるように照射することができる。これによって原稿搬送路を扁平なＳ字状、扁平な横向きＵ字状等のヘアピンカーブ状（つづら折れ状）に形成できるので、原稿搬送路ひいては画像読取装置全体の上下高さを低く抑えることができ、構造の簡素化が図れるとともに、各原稿面の読み取りが安定し、正確な画像データが得られるようになる。
【００１４】
さらに、撮像部には、第一の画像読取部に位置する原稿の第一の原稿面又は第二の画像読取部に位置する原稿の第二の原稿面に対応する結像面に固体撮像素子等の画像センサの受光面を一致させるように焦点合わせを行なうための焦点調整機構を含むことができる。これによって、第一及び第二の画像読取部で交互に画像読取を行なう際に、焦点調整機構による焦点合わせ（ピント合わせ）を行なうだけでよいので、原稿読取時間の短縮化を図ることができる。
【００１５】
なお、画像（光学像）を電気信号に変換する「画像センサ」として、固体撮像素子や固体撮像管が用いられる。このうち、固体撮像素子には、リニアセンサ（一次元）とイメージセンサ又はエリアセンサ（二次元）とがある。また、イメージセンサ型の固体撮像素子として、ＣＣＤ（charge coupled device；電荷結合素子）、ＣＰＤ（charge priming device）、ＭＯＳ（metal oxide semiconductor）形、ＣＩＤ（charge injection device；電荷注入素子）等を用いることができる。
【００１６】
そして、第一及び第二の画像読取部のうちの一方に原稿が存在するとき、その画像読取部において所定の原稿面の読み取りが終了するまで他方の画像読取部には他の原稿の搬入を禁止するようにすれば、第一及び第二の画像読取部での交互画像読取がスムーズに行なわれ、原稿読取時間をさらに短縮することができる。
【００１７】
ところで、
原稿の表裏のうちいずれの原稿面を画像読取の対象とするかを選択入力可能な読取制御部が設けられ、
その読取制御部は選択入力に基づいて、第一及び第二の画像読取部のうち選択された原稿面に対応する画像読取部ではその原稿面を読み取りながらその原稿を通過させる一方、選択されていない原稿面に対応する画像読取部ではその原稿面を読み取ることなくその原稿を通過させるように制御することができる。
【００１８】
これによって、いわゆる片面読取モードを選択入力したとき、例えば、もともと原稿の片面にのみ印刷表示されている場合や、原稿の両面に印刷表示されていても片面のみ画像読取すればよい場合でも、原稿は両面読取の場合と同様の原稿搬送路を搬送される。したがって、片面読取用に両面読取とは別の原稿搬送路や撮像部を設ける必要がないため、画像読取装置の構造の大型化・複雑化を防止できる。
【００１９】
あるいは、
第一の画像読取部の近傍には、書籍等の綴じられた原稿を手置き原稿として透明部（例えばガラス板）上に載置しつつ、その透明部の上面で対向保持される原稿面を読み取るために第三の画像読取部が配設されるとともに、
撮像部は、第三の画像読取部に対向する位置において、透明部に沿って連続的に又は間欠的に移動しながら、その透明部上に位置保持された手置き原稿の原稿面に向けて光源から光を照射し、その原稿面で反射した反射光を結像させて得られた画像を電気信号に変換して読み取り可能としてもよい。
【００２０】
上記した撮像部をさらに兼用することにより、第三の画像読取部での手置き原稿の画像読取が容易に行なえるので、構造を大型化・複雑化させずにいわゆる手動読取モードとして、機能を追加することができる。
【００２１】
次に、上記課題を解決するために、本発明の画像形成装置は、
上記の画像読取装置を備え、その画像読取装置による原稿の画像読取の結果に基づいて、記録材上に画像を形成することを特徴とする。
【００２２】
このように、画像読取装置（撮像部）によって読み取られた原稿両面の画像データを用いて記録材上に画像を形成（例えば転写）すればよいので、画像形成装置、ひいては複写機、印刷機等を大型化・複雑化させずにすむ。なお、「記録材」とは、複写用紙（上質紙）、厚紙等の紙葉類の他に、ＯＨＰ用シート材等を含む。
【発明を実施するための最良の形態】
【００２３】
（実施例１）
以下、本発明の実施の形態を図面に示す実施例を参照しつつ説明する。図１は本発明に係る画像形成装置としての複写機の一例を示す概略説明図である。図１に示すように、複写機１００の上部には本発明の主要部をなす画像読取装置５０が備えられている。この画像読取装置５０には、中央上端部に位置する給紙スタック部２（原稿供給部）からその斜め下方に位置する排紙スタック部３（原稿排出部）に向って、原稿搬送路１が湾曲状（曲線状）に形成され、画像読取の対象となる文字等が表裏両面に表示（記載）されたシート状の原稿Ｍを一方通行で搬送する。このような原稿搬送路１の中途部において、原稿Ｍの両面を読み取るために２つの読取部１０，２０（第一及び第二の画像読取部）がそれぞれ配設されている。そして、画像読取装置５０は、両読取部１０，２０を光学的に接続する光接続部３０（光伝搬部）と、一方の読取部１０に対面して（直接的に対向して）配置される単一の撮像部４０とを有している。
【００２４】
また、画像読取装置５０の下方には、転写紙Ｐ（複写用紙；記録材）上にトナー像（画像）を形成する画像形成部６０と、画像形成部６０に転写紙Ｐを給送する転写紙搬送部７０と、画像形成部６０でトナー像が形成された転写紙Ｐを複写機外部へ排紙する転写紙排紙部８０とが備えられている。具体的には、画像形成部６０では、撮像部４０で電気信号に変換して読み取られた原稿Ｍの画像データに基づき半導体レーザ６１から発せられるレーザビームを制御して、感光体ドラム６２上に静電潜像を形成した後、この静電潜像に現像部６３によってトナーを付着させてこれを可視化する。そして、転写紙搬送部７０から給送されてくる転写紙Ｐ上に上記トナーを転写して、転写紙Ｐ面上にトナー像を形成する。転写紙Ｐはこの後、定着部６４を通過して転写されたトナーの定着が図られ、複数対のガイドローラ８１を介して複写機外部の転写紙排紙部８０へと排紙される。
【００２５】
図２は本発明に係る画像読取装置の一例を示す説明図である。図２に示すように、湾曲状の原稿搬送路１は、具体的には次のように形成されている。原稿搬送路１は、給紙スタック部２から一端側（例えば左側）へ下がり傾斜する搬入部１０２と、搬入部１０２の下端から他端側（例えば右側）へほぼ水平状に延出する第一搬送部１１１と、第一搬送部１１１の先端で向きを変換（反転）する第一方向変換部１１２（方向変換部）と、第一方向変換部１１２の先端から一端側（例えば左側）へほぼ水平状に戻る第二搬送部１２１と、第二搬送部１２１の先端で向きを変換（反転）する第二方向変換部１２２（方向変換部）と、第二方向変換部１２２の先端から他端側（例えば右側）下部の排紙スタック部３へほぼ水平状に接続される搬出部１０３とが順に（連続的に）連結構成されている。
【００２６】
そして、第一搬送部１１１の中間部には原稿Ｍの表側原稿面Ｍ１（第一の原稿面）を読み取るために表面側読取部１０（第一の画像読取部）が配設され、第二搬送部１２１の先端部には原稿Ｍの裏側原稿面Ｍ２（第二の原稿面）を読み取るために裏面側読取部２０（第二の画像読取部）が配設されている。そして、第一搬送部１１１、第一方向変換部１１２、第二搬送部１２１、第二方向変換部１２２及び搬出部１０３は、全体として扁平なＳ字状（ヘアピンカーブ状；つづら折れ状）に形成されている。また、第一搬送部１１１と第二搬送部１２１とは互いにほぼ平行状となるように上下に配置されている。このように、原稿搬送路１が扁平なＳ字状に形成され、両搬送部１１１，１２１がほぼ平行状に上下配置されているため、構造（特に上下構造）の小型化・簡素化を図ることができる。
【００２７】
給紙スタック部２と搬入部１０２との間には、原稿Ｍを１枚ずつ供給するための供給機構１０２ａ（例えば、原稿Ｍを挟んで対向状に位置する分離ベルト及び分離ローラ）が配置されている。また、給紙スタック部２には、積み重ねられた原稿Ｍの束の供給機構１０２ａ側を下から上に回動して持ち上げ保持する底板２ａと、その持ち上げられた原稿Ｍの束に対して上側から接触して加圧する接触ローラ２ｂとが設けられている。なお、給紙スタック部２の底部には、底板２ａの回動角によって原稿Ｍがなくなったことを検知する原稿切れセンサ４も設けられている。
【００２８】
搬入部１０２と第一搬送部１１１とに跨り、かつ表面側読取部１０を挟んで上流側と下流側とに、第一送り機構１１０ａ（例えば、原稿Ｍを挟んで対向状に位置する一対の送りローラ）がそれぞれ配置されている。また、第一方向変換部１１２・第二搬送部１２１・第二方向変換部１２２に跨り、かつ裏面側読取部２０を挟んで上流側と下流側とに、第二送り機構１２０ａ（例えば、原稿Ｍを挟んで対向状に位置する一対の送りローラ）がそれぞれ配置されている。なお、搬出部１０３には、画像読取後の原稿Ｍを排紙スタック部３に収容するための排出機構１０３ａ（例えば、原稿Ｍを挟んで対向状に位置する一対のガイドローラ）が配置されている。
【００２９】
上流側の第一送り機構１１０ａと表面側読取部１０との間（すなわち、表面側読取部１０よりも上流側）の第一搬送部１１１には、第一搬送部１１１を搬送される（もしくは、連続的に又は間欠的（断続的）に送られる）原稿Ｍの先端縁を検知したとき、原稿Ｍの搬送（送り）を一旦停止するための第一センサ１１０が配置されている。一方、上流側の第二送り機構１２０ａと裏面側読取部２０との間（すなわち、裏面側読取部２０よりも上流側）の第二搬送部１２１には、第二搬送部１２１を搬送される（もしくは、連続的に又は間欠的（断続的）に送られる）原稿Ｍの先端縁を検知したとき、原稿Ｍの搬送（送り）を一旦停止するための第二センサ１２０が配置されている。したがって、例えば、裏面側読取部２０に原稿Ｍが存在するとき、裏面側読取部２０において裏側原稿面Ｍ２の読み取りが終了するまで表面側読取部１０には後続の原稿Ｍの搬入を禁止することができるので、両原稿面Ｍ１，Ｍ２の交互画像読取をスムーズに行なえる。なお、原稿Ｍの搬送（送り）を阻害しないように、これらのセンサ１１０，１２０には、超音波式、赤外線式、静電容量式等の非接触センサを用いることが望ましい。
【００３０】
表面側読取部１０には、第一搬送部１１１を上下方向に貫通するように下側開口部１０ａと上側開口部１０ｂとが形成され、下側開口部１０ａは下方から第一ガラス板１１（第一の透明部）で塞がれている。一方、裏面側読取部２０には、第二搬送部１２１を下側に開放する開口部２０ａが形成され、開口部２０ａは下方から第二ガラス板２１（第二の透明部）で塞がれている。
【００３１】
なお、表面側読取部１０と裏面側読取部２０との間の原稿搬送路１に沿う離間距離は、原稿Ｍの原稿搬送路１方向の長さ以上に設定されている。つまり、表面側読取部１０と裏面側読取部２０との間の搬送距離は、原稿搬送路１方向の原稿Ｍ長さに等しいかそれよりも長く形成されている。もちろん、両センサ１１０，１２０間の搬送距離（原稿搬送路１に沿う離間距離）も原稿Ｍの原稿搬送路１方向の長さ以上に設定されている。したがって、上流側の表面側読取部１０で表側原稿面Ｍ１を読み取られ、下流側の裏面側読取部２０へ搬送された原稿Ｍの末尾が表面側読取部１０の開口部１０ａ，１０ｂ（すなわち光接続部３０）を塞がないので、裏面側読取部２０での画像読取を阻害しない。
【００３２】
光接続部３０は、表面側読取部１０の上側開口部１０ｂと裏面側読取部２０の開口部２０ａとの間を一直線状に光接続している。これによって、読取部１０，２０相互間での光の伝搬が、各々の光軸を一致させた形で可能となる。そして、撮像部４０（光源４１）から発せられた光は、その光軸が表面側読取部１０及び裏面側読取部２０に位置する原稿Ｍの原稿面Ｍ１，Ｍ２に対して直交状となるように照射される。このように、光接続部３０の光軸が一直線状に形成されるため反射鏡を省略でき、構造を小型化・簡素化できる。また、光接続部３０の長さが相対的に短くなるため、光の拡散等に伴う減衰を抑制できる。
【００３３】
撮像部４０は、上流側の表面側読取部１０に対して直接的に対向して（対面して）配置されているが、下流側の裏面側読取部２０に対しては表面側読取部１０及び光接続部３０を介して間接的に対向配置されている。各々の読取部１０，２０では、搬送方向に沿って連続的に又は間欠的（断続的）に送られる原稿Ｍの原稿面Ｍ１，Ｍ２に向けてＬＥＤ等の光源４１から光を照射し、原稿面Ｍ１，Ｍ２で反射した反射光を結像させて得られた画像をＣＣＤ等のイメージセンサ４２（固体撮像素子；画像センサ）で電気信号に変換して読み取る。また、撮像部４０は、表面側読取部１０に位置する原稿Ｍの表側原稿面Ｍ１又は裏面側読取部２０に位置する原稿Ｍの裏側原稿面Ｍ２に対応する結像面にイメージセンサ４２の受光面を一致させるように焦点合わせを行なうためのピント合わせ機構４３（焦点調整機構）を有している。なお、符号４４は、反射光をイメージセンサ４２に向わせるための反射鏡である。
【００３４】
したがって、最初に、上流側に位置する表面側読取部１０に原稿Ｍが存在するときには、撮像部４０の光源４１から発せられた光は、原稿Ｍの表側原稿面Ｍ１で反射して撮像部４０のイメージセンサ４２で読み取られる（図８（ｂ）参照）。次に、上流側に位置する表面側読取部１０に原稿Ｍが存在せず、下流側に位置する裏面側読取部２０に原稿Ｍが存在するときには、撮像部４０の光源４１から発せられた光は、表面側読取部１０及び光接続部３０を通り原稿Ｍの裏側原稿面Ｍ２で反射して、光接続部３０及び表面側読取部１０を通り（戻り）撮像部４０のイメージセンサ４２で読み取られる（図８（ｄ）参照）。
【００３５】
ところで、図２の表面側読取部１０（第一ガラス板１１）の近傍（例えば右側）には、書籍Ｂ等の綴じられた原稿をいわゆる手置き原稿として載置するための第三ガラス板１３１（第三の透明部）が設けられ、第三ガラス板１３１の上面で対向保持される手置き原稿面Ｍ３を読み取るために手置き読取部１３０（第三の画像読取部）が配設されている。なお、第一ガラス板１１と第三ガラス板１３１とは一体化されていてもよい。
【００３６】
この手置き読取部１３０は、いわゆる手動読取モードで書籍Ｂの手置き原稿面Ｍ３を画像読取する際に使用される。具体的には、撮像部４０は、手置き読取部１３０に対向する位置（例えばその下方位置）に移動した後、第三ガラス板１３１に沿って連続的に又は間欠的に移動する（送られる）。このとき、撮像部４０の光源４１からの光が書籍Ｂの手置き原稿面Ｍ３に向けて照射され、手置き原稿面Ｍ３で反射した反射光を結像させて得られた画像がイメージセンサ４２で電気信号に変換して読み取られる。
【００３７】
図３にこのような画像読取装置５０の制御系のブロック図を示す。図３のブロック図に示すように、読取制御部９０は、画像読取装置５０（撮像部４０）の画像読取制御を司るために、ＣＰＵ９２，ＲＡＭ９３，ＲＯＭ９４，入出力インターフェース９１，９５等を有し、これらが送受信可能に接続されたマイクロコンピュータにより構成されている。ＣＰＵ９２は、ＲＯＭ９４から読み込んだ画像読取制御プログラム９４ａに基づいて撮像部４０による画像読取を実行する。ＲＡＭ９３はそのプログラムを実行する際のワークエリアとして使用される。
【００３８】
図３に示すように、画像読取装置５０の各部から次の信号が入力インターフェース９１を介して読取制御部９０へ入力されている。
・自動手動選択スイッチ９０ａ：シート状原稿Ｍの表裏原稿面Ｍ１，Ｍ２を画像読取する自動読取モードと、書籍Ｂの手置き原稿面Ｍ３を画像読取する手動読取モードとを選択切換するための操作信号；
・両面片面選択スイッチ９０ｂ：シート状原稿Ｍの表裏原稿面Ｍ１，Ｍ２について、両面とも画像読取の対象とするか片面のみを画像読取の対象とするかを選択入力するための操作信号；
・表面裏面選択スイッチ９０ｃ：シート状原稿Ｍの表裏原稿面Ｍ１，Ｍ２のうち、いずれの原稿面を画像読取の対象とするかを選択入力するための操作信号；
・スタートスイッチ９０ｄ：撮像部４０による画像読取の開始を指令する操作信号；
・停止スイッチ９０ｅ：撮像部４０による画像読取の停止（終了）を指令する操作信号；
【００３９】
・第一センサ１１０：第一搬送部１１１を搬送される（送られる）原稿Ｍの先端縁が到達したことの検知信号；
・第二センサ１２０：第二搬送部１２１を搬送される（送られる）原稿Ｍの先端縁が到達したことの検知信号；
・イメージセンサ４２：第一搬送部１１１又は第二搬送部１２１を送られる原稿Ｍの先端縁が表面側読取部１０又は裏面側読取部２０に到達したことの検知信号；
・原稿切れセンサ４：給紙スタック部２に原稿Ｍがなくなったことの検知信号（図２参照）。
【００４０】
同様に、次の信号が出力インターフェース９５を介して読取制御部９０から画像読取装置５０の各部へ出力されている。
・供給アクチュエータ１０２ｂ：供給機構１０２ａ（例えば分離ベルト及び分離ローラ）を駆動する供給アクチュエータ１０２ｂ（例えば電動モータ）のための制御出力信号；
・第一送りアクチュエータ１１０ｂ：第一送り機構１１０ａ（例えば一対の送りローラ）を連続的に又は間欠的（断続的）に送り駆動する第一送りアクチュエータ１１０ｂ（例えばステッピングモータ）のための制御出力信号；
・第二送りアクチュエータ１２０ｂ：第二送り機構１２０ａ（例えば一対の送りローラ）を連続的に又は間欠的（断続的）に送り駆動する第二送りアクチュエータ１２０ｂ（例えばステッピングモータ）のための制御出力信号；
・排出アクチュエータ１０３ｂ：排出機構１０３ａ（例えば一対のガイドローラ）を駆動する排出アクチュエータ１０３ｂ（例えば電動モータ）のための制御出力信号；
【００４１】
・撮像部用ドライバ４０ａ：表面側読取部１０、裏面側読取部２０又は手置き読取部１３０において撮像部４０を作動（画像読取駆動）する撮像部用ドライバ４０ａのための制御出力信号；
・撮像部移動アクチュエータ４０ｂ：手動読取モードの際、撮像部４０を手置き読取部１３０の対向位置に移動し、その後第三ガラス板１３１に沿って連続的に又は間欠的（断続的）に送り駆動する撮像部移動アクチュエータ４０ｂ（例えばステッピングモータ）のための制御出力信号。
【００４２】
次に、図４〜図７に示すフローチャートと図８の作動説明図とを用いて、画像読取装置５０の制御の一例を説明する。まず、図４のＳ１にて、自動手動選択スイッチ９０ａで自動読取モードが選択されているか否かをチェックする。そして、自動読取モードが選択されていれば（Ｓ１でＹＥＳ）、Ｓ２にて第一センサ１１０及び第二センサ１２０の状態を確認し、ともにＯＦＦ状態であれば（Ｓ２でＹＥＳ）Ｓ４に移行する。このとき、少なくとも一方のセンサがＯＮ状態であれば（Ｓ２でＮＯ）、Ｓ３にて、第一送り機構１１０ａ（第一送りアクチュエータ１１０ｂ）、第二送り機構１２０ａ（第二送りアクチュエータ１２０ｂ）及び排出機構１０３ａ（排出アクチュエータ１０３ｂ）を一斉駆動して、原稿搬送路１中に存在する未排出の原稿Ｍを排紙スタック部３へ排出し、Ｓ４に移行する。
【００４３】
次に、Ｓ４にて両面片面選択スイッチ９０ｂで両面読取モードが選択されているか否かをチェックする。両面読取モードが選択されていれば（Ｓ４でＹＥＳ）両面読取モードのサブルーチンＳ５（図５）を実行し、片面読取モードが選択されていれば（Ｓ４でＮＯ）片面読取モードのサブルーチンＳ６（図６）を実行する。なお、Ｓ１にて手動読取モードが選択されていれば（Ｓ１でＮＯ）手動読取モードのサブルーチンＳ７（図７）を実行する。
【００４４】
図５の両面読取モードＳ５では、Ｓ５０１にてスタートスイッチ９０ｄが操作されたこと（Ｓ５０１でＹＥＳ）を確認後、Ｓ５０２にて、供給機構１０２ａ（供給アクチュエータ１０２ｂ）及び第一送り機構１１０ａ（第一送りアクチュエータ１１０ｂ）を一斉駆動して、最初の原稿Ｍを搬入部１０２ないし第一搬送部１１１に供給（搬送）する。そして、第一センサ１１０が原稿Ｍの先端縁を検知してＯＮ状態になれば（Ｓ５０３でＹＥＳ；図８（ａ）参照）、Ｓ５０４にて、第一送り機構１１０ａのみを送り駆動して原稿Ｍの送りを開始し、同時に撮像部４０（撮像部用ドライバ４０ａ）の作動を開始する。なお、撮像部４０の作動には、光源４１の点灯、ピント合わせ機構４３のピント合わせ及びイメージセンサ４２の走査を含む。
【００４５】
その後、表面側読取部１０で撮像部４０のイメージセンサ４２が原稿Ｍの先端縁を検知すると（Ｓ５０５でＹＥＳ）、Ｓ５０６にて、表面側読取部１０において撮像部４０のイメージセンサ４２による表側原稿面Ｍ１の画像読取を開始する（図８（ｂ）参照）。また、表面側読取部１０で撮像部４０のイメージセンサ４２が原稿Ｍの後端縁を検知すると（Ｓ５０７でＹＥＳ）、Ｓ５０８にて、表面側読取部１０における表側原稿面Ｍ１の画像読取を終了する。さらに、Ｓ５０９にて、第二送り機構１２０ａを駆動（又は送り駆動）して画像読取を終えた原稿Ｍを第二搬送部１２１に搬送する（又は送る）。そして、第二センサ１２０が原稿Ｍの先端縁を検知してＯＮ状態になれば（Ｓ５１０でＹＥＳ；図８（ｃ）参照）、Ｓ５１１にて、第二送り機構１２０ａのみを送り駆動して原稿Ｍの送りを開始し、同時に撮像部４０（撮像部用ドライバ４０ａ）の作動を開始する。なお、撮像部４０の作動には、光源４１の点灯、ピント合わせ機構４３のピント合わせ及びイメージセンサ４２の走査を含む。
【００４６】
その後、裏面側読取部２０で撮像部４０のイメージセンサ４２が原稿Ｍの先端縁を検知すると（Ｓ５１２でＹＥＳ）、Ｓ５１３にて、裏面側読取部２０において撮像部４０のイメージセンサ４２による裏側原稿面Ｍ２の画像読取を開始する（図８（ｄ）参照）。また、裏面側読取部２０で撮像部４０のイメージセンサ４２が原稿Ｍの後端縁を検知すると（Ｓ５１４でＹＥＳ）、Ｓ５１５にて、裏面側読取部２０における裏側原稿面Ｍ２の画像読取を終了する。さらに、Ｓ５１６にて、第二送り機構１２０ａ及び排出機構１０３ａを駆動して画像読取を終えた原稿Ｍを排紙スタック部３に排出する（図８（ｅ）参照）。
【００４７】
そして、原稿切れセンサ４（図２参照）が原稿切れを検知していないこと（Ｓ５１７でＮＯ）と、停止スイッチ９０ｅが操作されていないこと（Ｓ５１８でＮＯ）とを確認後、Ｓ５０２に戻って次の原稿Ｍの搬入（供給）を開始する。なお、Ｓ５１７でＹＥＳ又はＳ５１７でＹＥＳの場合には、メインルーチン（図４）にリターンする。
【００４８】
このように、原稿Ｍを搬送途中で反転させなくても両原稿面Ｍ１，Ｍ２の画像読取がスムーズに行なわれるので、反転機構を省略できるとともに、搬送途中での原稿Ｍの詰まりや損傷も発生しにくい。ところで、図５のＳ５０５，Ｓ５０７，Ｓ５１２及びＳ５１４では、イメージセンサ４２による原稿Ｍの先端縁（又は後端縁）の検知に代えて、第一センサ１１０（又は第二センサ１２０）による原稿Ｍの先端縁の検知から所定時間経過を判断基準としてもよい。
【００４９】
図６の片面読取モードＳ６では、Ｓ６０１にて、表面裏面選択スイッチ９０ｃで表側原稿面Ｍ１の画像読取が選択されているか否かをチェックする。表側原稿面Ｍ１の画像読取が選択されていれば（Ｓ６０１でＹＥＳ）、スタートスイッチ９０ｄが操作されたこと（Ｓ６０２でＹＥＳ）を確認後、Ｓ６０３にて、供給機構１０２ａ及び第一送り機構１１０ａを一斉駆動して、最初の原稿Ｍを搬入部１０２ないし第一搬送部１１１に供給（搬送）する。そして、第一センサ１１０が原稿Ｍの先端縁を検知してＯＮ状態になれば（Ｓ６０４でＹＥＳ；図８（ａ）参照）、Ｓ６０５にて、第一送り機構１１０ａのみを送り駆動して原稿Ｍの送りを開始し、同時に撮像部４０の作動を開始する。なお、撮像部４０の作動には、光源４１の点灯、ピント合わせ機構４３のピント合わせ及びイメージセンサ４２の走査を含む。
【００５０】
その後、表面側読取部１０で撮像部４０のイメージセンサ４２が原稿Ｍの先端縁を検知すると（Ｓ６０６でＹＥＳ）、Ｓ６０７にて、表面側読取部１０において撮像部４０のイメージセンサ４２による表側原稿面Ｍ１の画像読取を開始する（図８（ｂ）参照）。また、表面側読取部１０で撮像部４０のイメージセンサ４２が原稿Ｍの後端縁を検知すると（Ｓ６０８でＹＥＳ）、Ｓ６０９にて、表面側読取部１０における表側原稿面Ｍ１の画像読取を終了する。さらに、Ｓ６１０にて、第二送り機構１２０ａ及び排出機構１０３ａを駆動して画像読取を終えた原稿Ｍを排紙スタック部３に排出する（図８（ｅ）参照）。
【００５１】
そして、原稿切れセンサ４（図２参照）が原稿切れを検知していないこと（Ｓ６１１でＮＯ）と、停止スイッチ９０ｅが操作されていないこと（Ｓ６１２でＮＯ）とを確認後、Ｓ６０３に戻って次の原稿Ｍの搬入（供給）を開始する。なお、Ｓ６１１でＹＥＳ又はＳ６１２でＹＥＳの場合には、メインルーチン（図４）にリターンする。
【００５２】
さて、裏側原稿面Ｍ２の画像読取が選択されている場合には（Ｓ６０１でＮＯ）、スタートスイッチ９０ｄが操作されたこと（Ｓ６１３でＹＥＳ）を確認後、Ｓ６１４にて、供給機構１０２ａ、第一送り機構１１０ａ及び第二送り機構１２０ａを一斉駆動して、最初の原稿Ｍを第二搬送部１２１ないし第二方向変換部１２２に供給（搬送）する。そして、第二センサ１２０が原稿Ｍの先端縁を検知してＯＮ状態になれば（Ｓ６１５でＹＥＳ；図８（ｃ）参照）、Ｓ６１６にて、第二送り機構１２０ａのみを送り駆動して原稿Ｍの送りを開始し、同時に撮像部４０の作動を開始する。なお、撮像部４０の作動には、光源４１の点灯、ピント合わせ機構４３のピント合わせ及びイメージセンサ４２の走査を含む。
【００５３】
その後、裏面側読取部２０で撮像部４０のイメージセンサ４２が原稿Ｍの先端縁を検知すると（Ｓ６１７でＹＥＳ）、Ｓ６１８にて、裏面側読取部２０において撮像部４０のイメージセンサ４２による裏側原稿面Ｍ２の画像読取を開始する（図８（ｄ）参照）。また、裏面側読取部２０で撮像部４０のイメージセンサ４２が原稿Ｍの後端縁を検知すると（Ｓ６１９でＹＥＳ）、Ｓ６２０にて、裏面側読取部２０における裏側原稿面Ｍ２の画像読取を終了する。さらに、Ｓ６２１にて、第二送り機構１２０ａ及び排出機構１０３ａを駆動して画像読取を終えた原稿Ｍを排紙スタック部３に排出する（図８（ｅ）参照）。
【００５４】
そして、原稿切れセンサ４（図２参照）が原稿切れを検知していないこと（Ｓ６２２でＮＯ）と、停止スイッチ９０ｅが操作されていないこと（Ｓ６２３でＮＯ）とを確認後、Ｓ６１４に戻って次の原稿Ｍの搬入（供給）を開始する。なお、Ｓ６２２でＹＥＳ又はＳ６２３でＹＥＳの場合には、メインルーチン（図４）にリターンする。
【００５５】
このように、片面読取用に両面読取とは別の原稿搬送路１や撮像部４０を設ける必要がないため、画像読取装置５０の構造の大型化・複雑化を防止できるとともに、高速での片面画像読取が可能となる。ところで、図６のＳ６０６，Ｓ６０８，Ｓ６１７及びＳ６１９では、イメージセンサ４２による原稿Ｍの先端縁（又は後端縁）の検知に代えて、第一センサ１１０（又は第二センサ１２０）による原稿Ｍの先端縁の検知から所定時間経過を判断基準としてもよい。
【００５６】
図７の手動読取モードＳ７では、Ｓ７０１にて、撮像部４０（撮像部移動アクチュエータ４０ｂ）を駆動して、手置き読取部１３０の対向位置に移動する。さらに、スタートスイッチ９０ｄが操作されたこと（Ｓ７０２でＹＥＳ）を確認後、撮像部４０（撮像部移動アクチュエータ４０ｂ）を第三ガラス板１３１に沿って連続的に又は間欠的（断続的）に送り駆動し、同時に撮像部４０（撮像部用ドライバ４０ａ）を作動して、イメージセンサ４２による手置き原稿面Ｍ３の画像読取を行なう。そして、停止スイッチ９０ｅが操作されていないこと（Ｓ７０４でＮＯ）を確認後、Ｓ７０２に戻って次のスタートスイッチ９０ｄの操作を待つ。なお、Ｓ７０４でＹＥＳの場合には、メインルーチン（図４）にリターンする。
【００５７】
このように、撮像部４０は表面側読取部１０及び裏面側読取部２０に加えて、さらに手置き読取部１３０での画像読取にも兼用できるので、構造を大型化・複雑化させずに手動読取モードの機能を追加することができる。ところで、図７のＳ７０４では、停止スイッチ９０ｅの操作確認と、スタートスイッチ９０ｄの操作から所定時間経過確認とを、ＯＲ条件での判断基準としてもよい。
【００５８】
（実施例２）
図９に本発明に係る画像読取装置の他の例を示す。図９に示す画像読取装置５０では、給紙スタック部２（原稿供給部）と排紙スタック部３（原稿排出部）との位置関係が図２（実施例１）とは逆になり、原稿Ｍは図２とは逆向きに搬送される。したがって、撮像部４０は、下流側の裏面側読取部２０（第二の画像読取部）に対して直接的に対向して（対面して）配置されるが、上流側の表面側読取部１０（第一の画像読取部）に対しては裏面側読取部２０及び光接続部３０を介して間接的に対向配置されることになる。ただし、表面側読取部１０にて原稿Ｍの表側原稿面Ｍ１（第一の原稿面）を画像読取した後、裏面側読取部２０にて原稿Ｍの裏側原稿面Ｍ２（第二の原稿面）を画像読取する順序は変わらない。なお、図９（実施例２）において、図２（実施例１）と共通する機能を有する部分には同一符号を付して説明を省略する。
【００５９】
（変形例）
図１０に図２（実施例１）の原稿搬送路の変形例を示す。図１０の原稿搬送路１では、第一搬送部１１１、方向変換部１１２及び第二搬送部１２１は、全体として扁平な横向きのＵ字状（ヘアピンカーブ状；つづら折れ状）に形成されている。また、第一搬送部１１１と第二搬送部１２１とは互いにほぼ平行状となるように上下に配置され、それぞれの平行状をなす下面側には表面側読取部１０（第一の画像読取部）の開口部１０ａと裏面側読取部２０（第二の画像読取部）の開口部２０ａとが形成（配設）されている。さらに、光接続部３０（光伝搬部）の光軸は、表面側読取部１０と裏面側読取部２０とを一直線状に光学的に接続している。そして、撮像部４０の光源４１から発せられた光は、その光軸が表面側読取部１０及び裏面側読取部２０に位置する原稿Ｍの原稿面Ｍ１，Ｍ２に対して直交状となるように照射される。
【００６０】
このように、原稿搬送路１が扁平な横向きのＵ字状に形成され、両搬送部１１１，１２１がほぼ平行状に上下配置されているため、構造（特に上下構造）の小型化・簡素化を図ることができる。また、光接続部３０の光軸が一直線状に形成されるため反射鏡を省略でき、構造を小型化・簡素化できる。さらに、光接続部３０の長さが相対的に短くなるため、光の拡散等に伴う減衰を抑制できる。なお、図１０に示す変形例において、実施例１（図２）と共通する機能を有する部分には同一符号を付して説明を省略する。
【００６１】
以上の実施例では、画像読取装置を備える画像形成装置として複写機のみについて説明したが、印刷機等の画像形成装置に適用することももちろん可能である。また、光接続部３０（光伝搬部）や撮像部４０に光ファイバのような可撓性の光伝搬部材を用いてもよい。
【図面の簡単な説明】
【００６２】
【図１】本発明に係る画像形成装置としての複写機の一例を示す概略説明図。
【図２】本発明に係る画像読取装置の一例を示す説明図。
【図３】図２の電気的構成を示すブロック図。
【図４】図３の作動を示すフローチャート。
【図５】両面読取モードの作動を示すフローチャート。
【図６】片面読取モードの作動を示すフローチャート。
【図７】手動読取モードの作動を示すフローチャート。
【図８】図５に基づく画像読取装置の作動を示す説明図。
【図９】本発明に係る画像読取装置の他の例を示す説明図。
【図１０】図２の原稿搬送路の変形例を示す説明図。
【符号の説明】
【００６３】
１        原稿搬送路
１０      表面側読取部（第一の画像読取部）
２０      裏面側読取部（第二の画像読取部）
３０      光接続部（光伝搬部）
４０      撮像部
４１      ＬＥＤ（光源）
４２      イメージセンサ（電荷結合素子（ＣＣＤ）；固体撮像素子；画像センサ）
４３      ピント合わせ機構（焦点調整機構）
５０      画像読取装置
９０      読取制御部
１００    複写機（画像形成装置）
１１１    第一搬送部
１１２    第一方向変換部（方向変換部）
１２１    第二搬送部
１３０    手置き読取部（第三の画像読取部）
Ｍ        原稿（シート状原稿）
Ｍ１      表側原稿面（第一の原稿面）
Ｍ２      裏側原稿面（第二の原稿面）
Ｂ        書籍（手置き原稿）
Ｍ３      手置き原稿面
Ｐ        転写紙（複写用紙；記録材）
【図１】
2006319770.tif 000003
【図２】
2006319770.tif 000004
【図３】
2006319770.tif 000005
【図４】
2006319770.tif 000006
【図５】
2006319770.tif 000007
【図６】
2006319770.tif 000008
【図７】
2006319770.tif 000009
【図８】
2006319770.tif 000010
【図９】
2006319770.tif 000011
【図１０】
2006319770.tif 000012